(57)【要約】      （修正有）【課題】スペクトル制御部を有する光合成用光照射のためのＬＥＤ式照明システムであって、光源がカバーする距離にわたって光度のばらつきが小さいＬＥＤ式照明システムを提供する。【解決手段】少なくとも一つの第１のチャネル１２のＬＥＤと、少なくとも一つの第２のチャネル１３のＬＥＤとを有する第１のパネル１０を少なくとも備えた、スペクトル制御部を有する光合成用光照射のための照明システム１００であって、光源がカバーする距離にわたって光度のばらつきが小さく、第１のチャネル１２のＬＥＤの光度が、第２のチャネル１３のＬＥＤの光度とは独立に制御可能である。【選択図】図１
0003211408.tif 000002
【実用新案登録請求の範囲】
【請求項１】
少なくとも一つの第１のチャネル（１２）のＬＥＤと、少なくとも一つの第２のチャネル（１３）のＬＥＤとを備えた第１のパネル（１０）を少なくとも備えた、スペクトル制御部を有する光合成用光照射のための照明システム（１００）であって、
前記第１のチャネル（１２）のＬＥＤの光度が、前記第２のチャネル（１３）のＬＥＤの光度とは独立に制御可能である、照明システム（１００）。
【請求項２】
少なくとも一つの第３のチャネル（１４）のＬＥＤと、少なくとも一つの第４のチャネル（１５）のＬＥＤとを有する第２のパネル（１１）を備え、前記第３のチャネル（１４）のＬＥＤの光度が、前記第４のチャネル（１５）のＬＥＤの光度とは独立に制御可能である、
請求項１に記載の照明システム（１００）。
【請求項３】
各チャネル（１２、１３、１４、１５）が、単一のタイプのＬＥＤを含む、
請求項１または２に記載の照明システム（１００）。
【請求項４】
前記第１のチャネル（１２）と前記第３のチャネル（１４）とが、同じタイプ、具体的には同じ色のＬＥＤを含み、前記第２のチャネル（１３）と前記第４のチャネル（１５）とが、同じタイプ、具体的には同じ色のＬＥＤを含む、
請求項２または３に記載の照明システム（１００）。
【請求項５】
前記第１のチャネル（１２）及び前記第２のチャネル（１３）の少なくとも何れか一方が、２４個から３２個、具体的には２６個から３０個のＬＥＤを含み、前記第３のチャネル（１４）及び前記第４のチャネル（１５）の少なくとも何れか一方が、８個から１４個、具体的には１０個から１２個のＬＥＤを含む、
請求項１から４のいずれか一項に記載の照明システム（１００）。
【請求項６】
前記第１のチャネル（１２）のＬＥＤ及び第２のチャネル（１３）のＬＥＤの少なくとも何れか一方が、前記第１のパネル（１０）上に不均一に分散されており、前記第１のパネル（１０）の中心領域（１７）内よりも多くのＬＥＤがコーナ領域（１６）内に配置されている、
請求項１から５のいずれか一項に記載の照明システム（１００）。
【請求項７】
前記第３のチャネル（１４）のＬＥＤ及び第４のチャネル（１５）のＬＥＤの少なくとも何れか一方が、前記第２のパネル（１１）上に均一に分散されており、前記ＬＥＤの少なくとも７５％が、前記第２のパネル（１１）上の１本の線に沿って等間隔で配置されている、
請求項１から６のいずれか一項に記載の照明システム（１００）。
【請求項８】
前記第１のチャネル（１２）のＬＥＤ及び前記第２のチャネル（１３）のＬＥＤの少なくとも何れか一方が、前記第１のパネル（１０）上に点対称に配置され、前記対称点が、前記第１のパネル（１０）の幾何学的中心点（１８）に対応する、
請求項１から７のいずれか一項に記載の照明システム（１００）。
【請求項９】
前記第１のチャネル（１２）のＬＥＤがそれぞれ、前記第２のチャネル（１３）のＬＥＤのうちの１つと軸方向に対称に配置されている、
請求項１から８のいずれか一項に記載の照明システム（１００）。
【請求項１０】
前記第３のチャネル（１４）のＬＥＤがそれぞれ、前記第４のチャネル（１５）のＬＥＤのうちの１つと軸方向に対称に配置されている、
請求項１から９のいずれか一項に記載の照明システム（１００）。
【請求項１１】
オービタルシェイカ装置（２００）のチャンバ（２１２）を包含するハウジング（２１０）を備えたオービタルシェイカ装置（２００）であって、
請求項１から１０のいずれか一項に記載の照明システム（１００）が、前記チャンバ（２１２）を照明するために前記ハウジング（２１０）の天井内壁（２１１）に配置されている、オービタルシェイカ装置（２００）。
【請求項１２】
前記第１のパネル（１０）と前記第２のパネル（１１）とが、互いに隣り合って前記ハウジング（２１０）の前記天井内壁（２１１）に配置され、前記第１のパネル（１０）が後方部分に配置されており、前記第２のパネル（１１）が前方区域に配置されている、
請求項１１に記載のオービタルシェイカ装置（２００）。
【請求項１３】
前記第１のパネル（１０）と前記第２のパネル（１１）とが、互いに隣り合って前記ハウジング（２１０）の前記天井内壁（２１１）に配置され、前記第１のパネル（１０）が前方区域に配置されており、前記第２のパネル（１１）が後方部分に配置されている、
請求項１１に記載のオービタルシェイカ装置（２００）。
【考案の詳細な説明】
【技術分野】
【０００１】
本考案は、スペクトル制御部を有する光合成用光照射のための照明システムであって、少なくとも一つの第１のチャネルのＬＥＤ及び少なくとも一つの第２のチャネルのＬＥＤを備えた第１のパネルを少なくとも有する照明システムに関する。
【０００２】
さらに、本考案は、オービタルシェイカ装置のチャンバを包含するハウジングを備えたオービタルシェイカ装置に関する。
【背景技術】
【０００３】
光合成用光照射の照明システムは蛍光灯に基づいていることが一般的である。いくつかの応用例では、光合成用光照射のための照明システムにＬＥＤがすでに使用されている。
【０００４】
当技術分野で周知の光合成用光照射のためのＬＥＤ式照明システムは、一般に、スペクトル制御を行うようには設計されていない。
【考案の概要】
【０００５】
本考案は、スペクトル制御部を有する光合成用光照射のためのＬＥＤ式照明システムであって、光源がカバーする距離にわたって光度のばらつきが小さいＬＥＤ式照明システムを提案する。
【課題を解決するための手段】
【０００６】
したがって、本考案は、スペクトル制御部を有する光合成用光照射のための照明システムであって、少なくとも一つの第１のチャネルのＬＥＤと、少なくとも一つの第２のチャネルのＬＥＤとを有する第１のパネルを少なくとも備えた照明システムを提案する。第１のチャネルのＬＥＤの光度は、第２のチャネルのＬＥＤの光度とは独立に制御可能である。
【０００７】
本考案は、オービタルシェイカ装置のチャンバを包含するハウジングを備えたオービタルシェイカ装置をさらに提案する。オービタルシェイカ装置は、チャンバを照明するためにハウジングの天井内壁に配置された照明システムを備える。
【図面の簡単な説明】
【０００８】
【図１】ＬＥＤの２つのチャネルを有する第１のパネルを備えた照明システムを示す図である。
【図２】ＬＥＤを備えた２つの別個のチャネルをそれぞれが有する２つのパネルを備えた照明システムを示す図である。
【図３】オービタルシェイカ装置のハウジングの天井壁に照明システムが配置されたオービタルシェイカ装置を示す図である。
【考案を実施するための形態】
【０００９】
以下では、本考案の好ましい実施形態に基づいて、本考案について説明する。
【００１０】
本考案の照明システムは、任意の光合成用照明に適用され得る。具体的には、照明システムは、オービタルシェイカ装置の内部のチャンバを照明するために使用され得る。したがって、照明システムは、オービタルシェイカ装置のハウジングの天井内壁に配置され、かつ接続され得る。
【００１１】
照明システムのスペクトルは、本考案により制御可能である。これは、発光のスペクトル成分が制御できることを意味する。具体的には、各チャネルは独立または個別に制御できる。これにより、ＬＥＤのオンとオフを切り換えることによって全体の光度が制御できるだけではなく、むしろ、２つのチャネルの光度を互いに独立に制御することによって、照明システム全体のスペクトルが制御できる。
【００１２】
本考案によれば、照明システムの第１のパネルは、少なくとも２つのチャネルを有する。具体的には、照明システムの第１のパネルは、２つのチャネルを有する。チャネルとは、互いに電気的に接続された複数のＬＥＤを有するグループと言える。１つのチャネルに含まれるＬＥＤは個別に制御することはできないが、グループとしてまとめてオンとオフを切り換えることができる。
【００１３】
パネルは機械的なプレートであり、２つのチャネルに含まれるＬＥＤが、パネルの表面に配置されている。「パネルの表面」とは、パネル表面に接触して配置されている場合だけでなく、パネル表面に非接触で配置されている場合も含む。
【００１４】
したがって、本考案の照明システムは、照明システムのスペクトル制御が可能な、光合成用光照射のためのＬＥＤ式照明システムを提供する。光出力のスペクトル成分の制御が可能であり、かつ、光源がカバーする距離にわたって光度のばらつきは小さい。
【００１５】
照明システムは、少なくとも一つの第３のチャネルのＬＥＤ及び少なくとも一つの第４のチャネルのＬＥＤとを有する第２のパネルをさらに備えることができる。第３のチャネルのＬＥＤの光度は、第４のチャネルのＬＥＤの光度とは独立に制御可能である。第２のパネルは、別個の機械的なプレートとすることができ、したがって第１のパネルとは隔てられていてもよい。２つの別個のパネル、すなわち、それぞれが複数のＬＥＤを含む２つの独立したチャネルをそれぞれが有する第１のパネルと第２のパネルを照明システムに設けることで、スペクトル成分の制御性がさらに向上する。
【００１６】
各チャネルは単一のタイプのＬＥＤを含むことができる。したがって、各チャネルは、たとえば色などの同一の特徴をもったＬＥＤを含むことができる。たとえば、あるチャネルは温白色（ｗａｒｍ  ｗｈｉｔｅ）ＬＥＤを含むことができる。別のチャネルはクールホワイト色（ｃｏｏｌ  ｗｈｉｔｅ）のＬＥＤを含んでいてもよい。
【００１７】
第１のチャネルと第３のチャネルとは、同じタイプ、具体的には同じ色のＬＥＤを含むことができる。第２のチャネルと第４のチャネルとは、同じタイプ、具体的には同じ色のＬＥＤを含むことができる。たとえば、第１のチャネルおよび第３のチャネルは、温白色ＬＥＤを含んでいても、温白色ＬＥＤからなっていてもよい。第２のチャネルおよび第４のチャネルは、クールホワイト色ＬＥＤを含んでいても、クールホワイト色ＬＥＤからなっていてもよい。したがって、それぞれのパネルが両方のタイプを含むことで、照明システム全体では、２つの異なるタイプのＬＥＤを含むことができる。
【００１８】
第１のチャネル及び第２のチャネルの少なくとも何れか一方は、２４個から３２個のＬＥＤを含むことができる。具体的には、第１のチャネル及び第２のチャネルの少なくとも何れか一方は、２６個から３０個、たとえば、ちょうど２８個のＬＥＤを含むことができる。つまり、たとえば第１のチャネルは第１のパネル上にちょうど２８個のＬＥＤを有し、第２のチャネルについても第１のパネル上にちょうど２８個のＬＥＤを有すことができることを意味する。第１のチャネルと第２のチャネルは、同じ数のＬＥＤを含むか、または同じ数のＬＥＤからなることが好ましい。
【００１９】
第３および第４のチャネルは同じ数のＬＥＤを含んでいてもよい。第１および第２のチャネルにおけるＬＥＤの数は、第３と第４のチャネルにおけるＬＥＤの数よりも大きい方が好ましい。第３のチャネル及び第４のチャネルの少なくとも何れか一方は、８個から１４個、具体的には１０個から１２個、たとえばちょうど１１個のＬＥＤを含むことができる。
【００２０】
第１のチャネルのＬＥＤ及び第２のチャネルのＬＥＤの少なくとも何れか一方は、第１のパネル上に不均一に分散されていてもよく、本態様では、第１のパネルの中心領域内よりも多くのＬＥＤがコーナ領域に配置されている。中心領域は、第１のパネルの幾何学的中心点を包囲し、幾何学的中心内にある長方形または正方形面積の領域であり得る。コーナ領域は、たとえば中心領域のすぐ隣りに配置された、中心領域の周りの領域であり得る。中心領域は、第１のパネルの表面全体の少なくとも１／８、より具体的には、少なくとも１／４を覆うことができる。第１のパネルにあるＬＥＤ全体の２５％未満が中心領域に配置される方が好ましく、２０％未満、具体的には１５％未満が中心領域に配置される方がより好ましい。したがって、第１のパネルにある第１のチャネルと第２のチャネルのＬＥＤのほとんどは、中心領域の周り、つまりコーナ領域内に配置される。
【００２１】
第３のチャネルのＬＥＤ及び第４のチャネルのＬＥＤの少なくとも何れか一方は、第２のパネル上に均一に分散されていてもよく、ここでは、第２のパネルにあるＬＥＤ全体の少なくとも７５％が、第２のパネル上の１本の線に沿って等間隔で配置されている。第２のパネルにあるすべてのＬＥＤの少なくとも８０％が、第２のパネル上の単一の線に沿って等間隔で配置されている方がより好ましい。
【００２２】
第１のチャネルのＬＥＤ及び第２のチャネルのＬＥＤの少なくとも何れか一方は、第１のパネル上に点対称に配置されていてもよく、対称点は第１の面の幾何学的中心点に対応する。これは、第１のチャネルのＬＥＤ及び第２のチャネルのＬＥＤの少なくとも何れか一方が、第１のパネルの中心点について点対称に配置され得ることを意味する。
【００２３】
第１のチャネルの各ＬＥＤは、第２のチャネルのＬＥＤのうちの１つと軸方向に対称に配置されてもよい。より好ましくは、第１のパネルは２つの対称軸を有することができ、ここでは、第１のチャネルのＬＥＤがそれぞれ、両軸にわたって、第２のチャネルのＬＥＤの１つと軸方向に対称に配置される。第３のチャネルのＬＥＤはそれぞれ、第４のチャネルのＬＥＤの１つと軸方向に対称に配置されてもよい。第２のパネルは、第２のパネルにある第３のチャネルおよび第４のチャネルのすべてのＬＥＤが１本の線に沿って配置されるとき、１つの対称軸しか含まない方がより好ましい。
【００２４】
本考案のオービタルシェイカ装置は、オービタルシェイカ装置のチャンバを包含するハウジングを備える。オービタルシェイカ装置は、チャンバを照明するためにハウジングの天井内壁に配置された、所定の照明システムをさらに備える。
【００２５】
両パネル、すなわち第１のパネルと第２のパネルは、互いに隣り合ってハウジングの天井内壁に配置され得る。第１のパネルは後方側に配置され、第２のパネルは前方側に配置され、双方とも互いに隣り合ってハウジングの天井内壁に配置される方がより好ましい。両パネルは矩形の形状を有していてもよい。第１のパネルは第１の長さと第１の幅を有していてもよい。第２のパネルは第２の長さと第２の幅を有していてもよい。第２の幅は、第１のパネルの幅の４分の１以下、さらに好ましくは６分の１以下であり得る。
【００２６】
本考案の好ましい実施形態
図１は、２つのチャネル１２、１３、すなわち第１のチャネル１２と第２のチャネル１３とを有する１つの第１のパネル１０を備えた照明システム１００を示す。第１のチャネル１２は、単一のタイプのＬＥＤを含む。第１のチャネル１２のＬＥＤは温白色ＬＥＤである。第２のチャネル１３も単一のタイプのＬＥＤを含む。第２のチャネル１３はクールホワイト色ＬＥＤを含む。
【００２７】
第１のチャネル１２のＬＥＤの光度は、第２のチャネルのＬＥＤ１３の光度とは独立に制御可能である。
【００２８】
さらに、図１に、中心領域１７および中心領域１７の隣りで、かつ中心領域１７の周囲に配置されたコーナ領域１６が示されている。４つのＬＥＤ、具体的には、２つの第１のチャネル１２のＬＥＤと２つの第２のチャネル１３のＬＥＤが、中心領域１７の中に配置されている。第１のチャネル１２および第２のチャネル１３のほとんどのＬＥＤは、中心領域１７の周囲、つまりコーナ領域１６の中に配置されている。第１のチャネル１２のＬＥＤと第２のチャネル１３のＬＥＤは第１のパネル１０上に点対称に配置されており、対称点は、第１のパネル１０の幾何学的中心点１８に対応する。さらに、第１のチャネル１２の各ＬＥＤは、２つの軸１９ａ、１９ｂにわたって、第２のチャネル１３のＬＥＤのうちの１つに対して軸方向に対称に配置されている。
【００２９】
図２は、第１のパネル１０と第２のパネル１１とを備えた照明システム１００を示す。第１のパネル１０は、図１に示された第１のパネル１０と同一である。第１のパネル１０は、第１の長さと第１の幅を有する。第２のパネル１１は、第２の長さと第２の幅を有し、第２の幅は第１の幅の６分の１以下である。
【００３０】
第２のパネル１１についても、２つのチャネル、すなわち第３のチャネル１４及び第４のチャネル１５を備える。第３のチャネル１４は、単一のタイプのＬＥＤからなる。第３のチャネル１４は温白色ＬＥＤからなり、第１のパネル１０にある第１のチャネル１２のＬＥＤタイプと同一である。第４のチャネル１５もまた、単一のみのタイプのＬＥＤからなる。第４のチャネル１５はクールホワイト色ＬＥＤからなり、第１のパネル１０にある第２のチャネル１３のＬＥＤと同一である。第３のチャネル１４の各ＬＥＤは、第４のチャネル１５のＬＥＤのうちの１つに対して軸方向に対称に配置されている。第２のパネル１１は単一の対称軸１９ｃを有する。
【００３１】
図３は、オービタルシェイカ装置２００のハウジング２１０の天井内壁２１１に照明システム１００が配置されたオービタルシェイカ装置２００を示す。オービタルシェイカ装置２００のハウジング２１０は、オービタルシェイカ装置２００のチャンバ２１２を包含する。オービタルシェイカ装置２００のハウジング２１０の天井内壁２１１に配置された照明システム１００は、オービタルシェイカ装置２００のチャンバ２１２を照明する。
【００３２】
照明システム１００の第１のパネル１０は、オービタルシェイカ装置２００のハウジング２１０の天井壁２１１における後方側に配置されている。第２のパネル１１は、オービタルシェイカ装置２００のハウジング２１０の天井壁２１１の前方側に配置されている。
【符号の説明】
【００３３】
１００  照明システム
２００  オービタルシェイカ装置
１０  第１のパネル
１１  第２のパネル
１２  第１のチャネルのＬＥＤ
１３  第２のチャネルのＬＥＤ
１４  第３のチャネルのＬＥＤ
１５  第４のチャネルのＬＥＤ
１６  コーナ領域
１７  中心領域
１８  中心点
１９ａ、１９ｂ  第１のパネルの対称軸
１９ｃ  第２のパネルの対称軸
２１０  オービタルシェイカ装置のハウジング
２１１  ハウジングの天井壁
２１２  オービタルシェイカのチャンバ
【図１】
0003211408.tif 000003
【図２】
0003211408.tif 000004
【図３】
0003211408.tif 000005
【手続補正書】
【提出日】平成29年5月11日(2017.5.11)
【手続補正１】
【補正対象書類名】実用新案登録請求の範囲
【補正対象項目名】全文
【補正方法】変更
【補正の内容】
【実用新案登録請求の範囲】
【請求項１】
少なくとも一つの第１のチャネル（１２）のＬＥＤと、少なくとも一つの第２のチャネル（１３）のＬＥＤとを備えた第１のパネル（１０）を少なくとも備えた、スペクトル制御部を有する光合成用光照射のための照明システム（１００）であって、
前記第１のチャネル（１２）のＬＥＤの光度が、前記第２のチャネル（１３）のＬＥＤの光度とは独立に制御可能である、照明システム（１００）。
【請求項２】
少なくとも一つの第３のチャネル（１４）のＬＥＤと、少なくとも一つの第４のチャネル（１５）のＬＥＤとを有する第２のパネル（１１）を備え、前記第３のチャネル（１４）のＬＥＤの光度が、前記第４のチャネル（１５）のＬＥＤの光度とは独立に制御可能である、
請求項１に記載の照明システム（１００）。
【請求項３】
各チャネル（１２、１３、１４、１５）が、単一のタイプのＬＥＤを含む、
請求項２に記載の照明システム（１００）。
【請求項４】
前記第１のチャネル（１２）と前記第３のチャネル（１４）とが、同じタイプ、具体的には同じ色のＬＥＤを含み、前記第２のチャネル（１３）と前記第４のチャネル（１５）とが、同じタイプ、具体的には同じ色のＬＥＤを含む、
請求項２または請求項３に記載の照明システム（１００）。
【請求項５】
前記第１のチャネル（１２）及び前記第２のチャネル（１３）の少なくとも何れか一方が、２４個から３２個、具体的には２６個から３０個のＬＥＤを含み、前記第３のチャネル（１４）及び前記第４のチャネル（１５）の少なくとも何れか一方が、８個から１４個、具体的には１０個から１２個のＬＥＤを含む、
請求項２から請求項４のいずれか一項に記載の照明システム（１００）。
【請求項６】
前記第１のチャネル（１２）のＬＥＤ及び前記第２のチャネル（１３）のＬＥＤの少なくとも何れか一方が、前記第１のパネル（１０）上に不均一に分散されており、前記第１のパネル（１０）の中心領域（１７）内よりも多くのＬＥＤがコーナ領域（１６）内に配置されている、
請求項２から５のいずれか一項に記載の照明システム（１００）。
【請求項７】
前記第３のチャネル（１４）のＬＥＤ及び前記第４のチャネル（１５）のＬＥＤの少なくとも何れか一方が、前記第２のパネル（１１）上に均一に分散されており、前記ＬＥＤの少なくとも７５％が、前記第２のパネル（１１）上の１本の線に沿って等間隔で配置されている、
請求項２から６のいずれか一項に記載の照明システム（１００）。
【請求項８】
前記第１のチャネル（１２）のＬＥＤ及び前記第２のチャネル（１３）のＬＥＤの少なくとも何れか一方が、前記第１のパネル（１０）上に点対称に配置され、前記対称点が、前記第１のパネル（１０）の幾何学的中心点（１８）に対応する、
請求項２から７のいずれか一項に記載の照明システム（１００）。
【請求項９】
前記第１のチャネル（１２）のＬＥＤがそれぞれ、前記第２のチャネル（１３）のＬＥＤのうちの１つと軸方向に対称に配置されている、
請求項２から８のいずれか一項に記載の照明システム（１００）。
【請求項１０】
前記第３のチャネル（１４）のＬＥＤがそれぞれ、前記第４のチャネル（１５）のＬＥＤのうちの１つと軸方向に対称に配置されている、
請求項２から９のいずれか一項に記載の照明システム（１００）。
【請求項１１】
オービタルシェイカ装置（２００）のチャンバ（２１２）を包含するハウジング（２１０）を備えたオービタルシェイカ装置（２００）であって、
請求項２から１０のいずれか一項に記載の照明システム（１００）が、前記チャンバ（２１２）を照明するために前記ハウジング（２１０）の天井内壁（２１１）に配置されている、オービタルシェイカ装置（２００）。
【請求項１２】
前記第１のパネル（１０）と前記第２のパネル（１１）とが、互いに隣り合って前記ハウジング（２１０）の前記天井内壁（２１１）に配置され、前記第１のパネル（１０）が後方部分に配置されており、前記第２のパネル（１１）が前方区域に配置されている、
請求項１１に記載のオービタルシェイカ装置（２００）。
【請求項１３】
前記第１のパネル（１０）と前記第２のパネル（１１）とが、互いに隣り合って前記ハウジング（２１０）の前記天井内壁（２１１）に配置され、前記第１のパネル（１０）が前方区域に配置されており、前記第２のパネル（１１）が後方部分に配置されている、
請求項１１に記載のオービタルシェイカ装置（２００）。